(57)【要約】      （修正有）【課題】携帯デバイスのＬＣＤパネルを医用画像表示規格に互換性を有するように変換する。【解決手段】画像表示システム１は、ホスト表示パネル１１と、スレーブ携帯型表示デバイス１２０と、ホストコンピュータ１０と、を含む。ホストコンピュータ１０は、医用画像共有プロセスを実行するために、ホスト表示デバイス及びスレーブ携帯型表示デバイスに結合され、医用画像共有プロセスは、カラー医用画像を取り込むための画像取込プログラムを実行するステップと、カラー医用画像をグレースケール医用画像に変換するための画像処理プログラムを実行するステップと、グレースケール医用画像を画像パッケージに変換するステップと、スレーブ携帯型表示デバイスに接続して画像パッケージをスレーブ携帯型表示デバイスに送信するステップと、を含む。【選択図】図１
2019076691.tif 000002
【特許請求の範囲】
【請求項１】
携帯デバイスのＬＣＤパネルを医用画像表示規格に互換性を有するように変換する画像表示システムであって、
第１のカラー医用画像を表示するように構成されたホスト表示パネルであって、該ホスト表示パネルのホストグレースケール画像変換機能は、ＧＳＤＦ（Grayscale  standard  display  function）規格で定義されたグレースケール標準表示関数に準拠する、ホスト表示パネルと、
第１のスレーブ携帯型表示デバイスと、
前記ホスト表示パネル及び前記第１のスレーブ携帯型表示デバイスに結合され、医用画像共有プロセスを実行するように構成されたホストコンピュータと、を含み、
前記医用画像共有プロセスは、
第１のカラー医用画像を取り込むための画像取込プログラムを実行するステップと、
前記第１のカラー医用画像を第１のグレースケール医用画像に変換するための画像処理プロセスを実行するステップと、
前記第１のグレースケール医用画像を第１の画像パッケージに変換するステップと、
前記第１のスレーブ携帯型表示デバイスに接続して、前記第１の画像パッケージを前記第１のスレーブ携帯型表示デバイスに送信するステップと、を含み、
前記第１のスレーブ携帯型表示デバイスを含む携帯デバイスは、医用画像表示プログラムをインストールして実行している、画像表示システム。
【請求項２】
前記画像処理プロセスは、
前記ホストグレースケール画像変換機能に従って、前記第１のカラー医用画像をホストグレースケール医用画像に変換するステップと、
前記ホストグレースケール画像変換機能に従って、前記第１のスレーブ携帯型表示デバイスのスレーブグレースケール画像変換機能を構成するステップと、
前記スレーブグレースケール画像変換機能及び前記ホストグレースケール医用画像に従って、前記第１のグレースケール医用画像を生成するステップと、を含む、
携帯デバイスのＬＣＤパネルを医用画像表示規格に互換性を有するように変換する、請求項１に記載の画像表示システム。
【請求項３】
前記スレーブグレースケール表示機能は、前記ＧＳＤＦ規格で定義されたグレースケール標準表示関数に準拠する、
携帯デバイスのＬＣＤパネルを医用画像表示規格に互換性を有するように変換する、請求項２に記載の画像表示システム。
【請求項４】
第２のスレーブ携帯型表示デバイスをさらに含み、
前記医用画像共有プロセスは、
第２のカラー医用画像を取り込むための前記画像取込プログラムを実行するステップと、
前記第２のカラー医用画像を第２のグレースケール医用画像に変換するための前記画像処理プロセス実行するステップと、
前記第２のグレースケール医用画像を第２の画像パッケージに変換するステップと、
前記第２の画像パッケージを前記第２のスレーブ携帯型表示デバイスに送信するステップと、を含み、
前記第２のスレーブ携帯型表示デバイスを含む携帯デバイスは、前記医用画像表示プログラムをインストールして実行している、
携帯デバイスのＬＣＤパネルを医用画像表示規格に互換性を有するように変換する、請求項１に記載の画像表示システム。
【請求項５】
第２のスレーブ携帯型表示デバイスをさらに含み、
前記医用画像共有プロセスは、
前記第１のスレーブ携帯型表示デバイス及び前記第２のスレーブ携帯型表示デバイスに前記第１の画像パッケージを送信するステップを含み、
前記第１のスレーブ携帯型表示デバイス及び前記第２のスレーブ携帯型表示デバイスを含む前記携帯デバイスは、前記医用画像表示プログラムをインストールして実行している、
携帯デバイスのＬＣＤパネルを医用画像表示規格に互換性を有するように変換する、請求項１に記載の画像表示システム。
【請求項６】
前記ホストコンピュータに結合され、前記第１のスレーブ携帯型表示デバイスの仮想表示デバイスとして動作するように構成されたドングルをさらに含み、
前記ホストコンピュータは、前記ドングルによって前記第１のスレーブ携帯型表示デバイスに接続し、前記ドングルは、ＶＧＡ（Video  Graphics  Array）、ＤＶＩ（Digital  Visual  Interface）、ＨＤＭＩ（登録商標）（High  Definition  Multimedia  Interface）及びＤＰ（Display  Port）を含むインタフェースのうちの１つに従って、前記第１の画像パッケージを前記第１のスレーブ携帯型表示デバイスに送信し、
前記第１のスレーブ携帯型表示デバイスを含む携帯デバイスは、前記医用画像表示プログラムをインストールして実行している、
携帯デバイスのＬＣＤパネルを医用画像表示規格に互換性を有するように変換する、請求項１に記載の画像表示システム。
【請求項７】
前記ホストコンピュータと前記第１のスレーブ携帯型表示デバイスを接続する伝送路をさらに含み、
前記ドングルは、前記第１の画像パッケージを前記伝送路によって前記第１のスレーブ携帯型表示デバイスに送信し、
前記第１のスレーブ携帯型表示デバイスを含む前記携帯デバイスは、前記医用画像表示プログラムをインストールして実行している、
携帯デバイスのＬＣＤパネルを医用画像表示規格に互換性を有するように変換する、請求項６に記載の画像表示システム。
【請求項８】
前記ホストコンピュータは、無線通信モジュールを含み、
前記ドングルは、前記無線通信モジュールによって前記第１の画像パッケージを前記第１のスレーブ携帯型表示デバイスに送信し、
前記第１のスレーブ携帯型表示デバイスを含む前記携帯デバイスは、前記医用画像表示プログラムをインストールして実行している、
携帯デバイスのＬＣＤパネルを医用画像表示規格に互換性を有するように変換する、請求項６に記載の画像表示システム。
【請求項９】
前記第１のスレーブ携帯型表示デバイスに接続して、前記第１の画像パッケージを前記第１のスレーブ携帯型表示デバイスに送信するステップは、
前記第１の画像パッケージを圧縮して第１の圧縮画像パッケージを生成するステップと、
前記第１の圧縮画像パッケージを前記第１のスレーブ携帯型表示デバイスに送信するステップと、を含み、
前記第１のスレーブ携帯型表示デバイスを含む前記携帯デバイスは、前記医用画像表示プログラムをインストールして実行している、
携帯デバイスのＬＣＤパネルを医用画像表示規格に互換性を有するように変換する、請求項１に記載の画像表示システム。
【請求項１０】
携帯デバイスのＬＣＤパネルを医用画像表示規格に互換性を有するように変換する画像表示システムのための医用画像共有方法であって、該画像表示システムは、ホスト表示パネルと、第１のスレーブ携帯型表示デバイスと、ホストコンピュータとを含み、当該医用画像共有方法は、プログラムにコンパイルされ、前記ホストコンピュータのメモリデバイスに記憶され、当該医用画像共有方法は、
第１のカラー医用画像を取り込むステップと、
画像処理プロセスに従って、前記第１のカラー医用画像を第１のグレースケール医用画像に変換するステップと、
前記第１のグレースケール医用画像を第１の画像パッケージに変換するステップと、
前記第１の画像パッケージを前記第１のスレーブ携帯型表示デバイスに送信するステップと、を含み、
前記第１のスレーブ携帯型表示デバイスを含む携帯デバイスは、医用画像表示プログラムをインストールして実行している、医用画像共有方法。
【請求項１１】
前記画像処理プロセスは、
ホストグレースケール画像変換機能に従って、前記第１のカラー医用画像をホストグレースケール医用画像に変換するステップと、
前記ホストグレースケール画像変換機能に従って、前記第１のスレーブ携帯型表示デバイスのスレーブグレースケール画像変換機能を構成するステップと、
前記スレーブグレースケール画像変換機能及び前記ホストグレースケール医用画像に従って、前記第１のグレースケール医用画像を生成するステップと、を含む、請求項１０に記載の医用画像共有方法。
【請求項１２】
前記スレーブグレースケール表示機能は、前記ＧＳＤＦ規格で定義されたグレースケール標準表示関数に準拠する、請求項１１に記載の医用画像共有方法。
【請求項１３】
携帯デバイスのＬＣＤパネルを医用画像表示規格に互換性を有するように変換する前記画像表示システムは、第２のスレーブ携帯型表示デバイスをさらに含み、当該医用画像共有方法は、
第２のカラー医用画像を取り込むステップと、
前記画像処理プロセスに従って、前記第２のカラー医用画像を第２のグレースケール医用画像に変換するステップと、
前記第２のグレースケール医用画像を第２の画像パッケージに変換するステップと、
前記第２の画像パッケージを前記第２のスレーブ携帯型表示デバイスに送信するステップと、を含み、
前記第２のスレーブ携帯型表示デバイスを含む携帯デバイスは、前記医用画像表示プログラムをインストールして実行している、請求項１０に記載の医用画像共有方法。
【請求項１４】
携帯デバイスのＬＣＤパネルを医用画像表示規格に互換性を有するように変換する前記画像表示システムは、第２のスレーブ携帯型表示デバイスをさらに含み、当該医用画像共有方法は、
前記第１の画像パッケージを前記第２のスレーブ携帯型表示デバイスに送信するステップを含み、
前記第２のスレーブ携帯型表示デバイスを含む携帯デバイスは、前記医用画像表示プログラムをインストールして実行している、請求項１０に記載の医用画像共有方法。
【請求項１５】
前記第１の画像パッケージを前記第１のスレーブ携帯型表示デバイスに送信するステップは、
前記第１の画像パッケージを圧縮して第１の圧縮画像パッケージを生成するステップと、
前記第１の圧縮画像パッケージを前記第１のスレーブ携帯型表示デバイスに送信するステップと、を含み、
前記第１のスレーブ携帯型表示デバイスを含む前記携帯デバイスは、前記医用画像表示プログラムをインストールして実行している、請求項１０に記載の医用画像共有方法。
【発明の詳細な説明】
【技術分野】
【０００１】
本発明は、画像表示システム及び方法に関連し、より詳細には、携帯デバイスのＬＣＤパネルを医用画像表示規格に互換性を有するように変換することができる画像表示システム及び方法に関連する。
【背景技術】
【０００２】
ＤＩＣＯＭ（Digital  Imaging  and  Communications  in  Medical）は、医用画像のためのファイルフォーマット及びネットワーク通信プロトコルを定義して、記憶、印刷、及び伝送など、デジタル医用画像に対する画像処理を取り扱う。ＤＩＣＯＭは、複数のネットワークシステム通信のための基本的な通信プロトコルとしてＴＣＰ（Transmission  Control  Protocol）及びＩＰ（Internet  Protocol）を採用している。例えば、ＤＩＣＯＭフォーマットをサポートする医療デバイス、サーバ、ワークステーション、表示デバイス、プリンタ、及びネットワーク機器は、デジタル医用画像及び患者データを送信及び受信し、ＤＩＣＯＭフォーマットでこれらの機器及びサブシステムをＰＡＣＳ（Picture  archiving  and  communication  system）に統合することができる。
【０００３】
ＤＩＣＯＭは、グレースケール医用表示デバイスのためにＧＳＤＦ（Grayscale  standard  display  function：グレースケール標準表示関数）規格も定義している。しかし、現在市場においてグレースケール医用表示デバイスは高価であり、固定された表示デバイス（非携帯型）であるため、人気が低く、医師が医用画像を瞬時に解釈するのには不便である。例えば、医師が、固定されたワークステーション及びグレースケール医用表示デバイスまで出向いて、医用画像を解釈しなければならない。
【０００４】
携帯デバイス（例えば、スマートフォン及びタブレットコンピュータ）のますます人気と、非医用表示デバイスの進歩につれて、市場において、医用画像を表示するハードウェア仕様及び能力を有する非医用表示デバイスがいくつか存在している。従って、医用画像を表示するハードウェア仕様及び能力を有する非医用表示デバイスをＰＡＣＳに統合することができる場合、医用画像表示デバイスの人気が高まり、ＰＡＣＳを構築するコストを削減することができる。
【０００５】
しかし、どのように医用画像を、医用画像を表示するハードウェア仕様及び能力を有する非医用表示デバイスに共用させて、非医用表示デバイスをＰＡＣＳに統合するかは、本業界においては新たなテーマである。
【発明の概要】
【０００６】
したがって、本発明は、携帯デバイスのＬＣＤパネルを医用画像表示規格に互換性を有するように変換することができる画像表示システム及び方法に関連する。
【０００７】
本発明は、携帯デバイスのＬＣＤパネルを医用画像表示規格に互換性を有するように変換する画像表示システムを開示する。画像表示システムは、ホスト表示パネルと、第１のスレーブ携帯型表示デバイスと、ホストコンピュータと、を含む。ホスト表示パネルは、第１のカラー医用画像を表示するように構成され、ホスト表示パネルのホストグレースケール画像変換機能は、ＧＳＤＦ（Grayscale  standard  display）規格によって定義されたグレースケール標準表示関数に準拠する。ホストコンピュータは、ホスト表示パネル及び第１のスレーブ携帯型表示デバイスに結合され、医用画像共有プロセスを実行するように構成される。医用画像共有プロセスは、第１のカラー医用画像を取り込むための画像取込プログラムを実行するステップと、第１のカラー医用画像を第１のグレースケール医用画像に変換するための画像処理プロセスを実行するステップと、第１のグレースケール医用画像を第１の画像パッケージに変換するステップと、第１のスレーブ携帯型表示デバイスに接続して、第１の画像パッケージを第１のスレーブ携帯型表示デバイスに送信するステップと、を含み、第１のスレーブ携帯型表示デバイスを含む携帯デバイスは、医用画像表示プログラムをインストールして実行している。
【０００８】
本発明は、携帯デバイスのＬＣＤパネルを医用画像表示規格に互換性を有するように変換する画像表示システムのための医用画像共有方法をさらに開示し、画像表示システムは、ホスト表示パネルと、第１のスレーブ携帯型表示デバイスと、ホストコンピュータとを含み、本方法は、プログラムにコンパイルされ、ホストコンピュータのメモリデバイスに記憶される。本方法は、第１のカラー医用画像を取り込むステップと、画像処理プロセスに従って、第１のカラー医用画像を第１のグレースケール医用画像に変換するステップと、第１のグレースケール医用画像を第１の画像パッケージに変換するステップと、第１の画像パッケージを第１のスレーブ携帯型表示デバイスに送信するステップとを含み、第１のスレーブ携帯型表示デバイスを含む携帯デバイスは、医用画像表示プログラムをインストールして実行している。
【０００９】
本発明のこれら及び他の目的は、様々な図面及び図表に示す好ましい実施形態についての以下の発明を実施するための形態を読めば、当業者には間違いなく明らかになるであろう。
【図面の簡単な説明】
【００１０】
【図１】本発明の実施形態による携帯デバイスのＬＣＤパネルを医用画像表示規格に適合したものに変換する画像表示システムの概略図である。
【図２】本発明の実施形態による医用画像を共有するプロセスのフローチャートである。
【図３】本発明の実施形態による画像処理プロセスのフローチャートである。
【発明を実施するための形態】
【００１１】
図１は、本発明の実施形態による、携帯デバイスのＬＣＤ（Liquid  Crystal  Display）パネルを医用画像表示規格に互換性を有するように変換する画像表示システム１の概略図である。画像表示システム１は、ホストコンピュータ１０と、ホスト表示パネル１１と、スレーブ携帯型表示デバイス１２０及び１２２と、ドングル１３（dongle）と、を含む。ホストコンピュータ１０は、ホスト表示パネル１１と、スレーブ携帯型表示デバイス１２０及び１２２と、ドングル１３とに結合され、医用画像を取り込むための画像取込プログラムを実行し、ホスト表示パネル１１が医用画像を表示するように制御するように構成されている。画像取込プログラムは、ＤＩＣＯＭ（Digital  Imaging  and  Communications  in  Medicine）規格に準拠するファイル（医用画像と患者データとを含む）を読み出して、医用画像を取り出すように構成されている。ホストコンピュータ１０は、デジタル医用画像を画像パッケージに変換するための画像処理プロセスを実行し、スレーブ携帯型表示デバイス１２０及び１２２に接続して、画像パッケージをスレーブ携帯型表示デバイス１２０及び１２２に送信することができる。スレーブ携帯型表示デバイス１２０及び１２２を含む携帯デバイスは、医用画像表示プログラムは、ホストコンピュータ１０に接続し、画像パッケージを読み出すための医用画像表示プログラムをインストールし、実行しなければならない。
【００１２】
詳細には、ホスト表示パネル１１は、ホストコンピュータ１０に結合され、医用画像及びホストコンピュータ１０のユーザインタフェース（例えば、オペレーティングシステムのデスクトップ、ファイル、プログラム等）を表示するように構成され、ホスト表示パネル１１は、標準医療診断画面であってもよい。スレーブ携帯型表示デバイス１２０及び１２２は、携帯デバイスの表示デバイス及び非標準医療診断画面（例えば、スマートフォン又はタブレットコンピュータの画面）であってもよく、スレーブ携帯型表示デバイス１２０及び１２２は、医用画像を表示することが可能なハードウェア仕様を満たさなくてはならない。標準医療診断画面と非標準医療診断画面の違いを表１に示す。
【００１３】
【表１】
2019076691.tif 000003
【００１４】
非標準医療診断画面は、ＤＩＣＯＭで定義されたＧＳＤＦ（グレースケール標準表示関数：Grayscale  standard  display  function）に基づいて設計されていないため、ＤＩＣＯＭに準拠するグレースケール画像変換機能がない。言い換えると、スレーブ携帯型表示デバイス１２０及び１２２に構成されたグレースケール画像変換機能は、ＤＩＣＯＭで定義されたグレースケール標準表示関数に準拠していない。そのような状況では、医用画像をスレーブ携帯型表示デバイス１２０及び１２２に共有させる前に、スレーブ携帯型表示デバイス１２０及び１２２のグレースケール画像変換機能がＤＩＣＯＭで定義されたグレースケール標準表示関数に準拠するように再構成されなければならない。結果として、スレーブ携帯型表示デバイス１２０及び１２２は、医療診断のために十分なＪＮＤ（丁度可知差異：Just-Noticeable  Difference）を有する医用画像を表示する能力を有する。
【００１５】
具体的には、ホストコンピュータ１０は、ＤＩＣＯＭで定義されたグレースケール標準表示関数又はホスト表示パネル１１のホストグレースケール画像変換機能に従って、カラー医用画像をホストグレースケール医用画像に変換し、ホストグレースケール画像変換機能に従って、スレーブ携帯型表示デバイス１２０及び１２２のスレーブグレースケール画像変換機能を構成する。ここで、スレーブグレースケール画像変換機能は、ＤＩＣＯＭで定義されたグレースケール標準表示関数に互換性を有する。最終的に、ホストコンピュータ１０は、スレーブグレースケール画像変換機能及びホストグレースケール医用画像に従ってスレーブグレースケール医用画像及び画像パッケージを生成することができる。したがって、スレーブグレースケール医用画像の画像パッケージを受信するとき、スレーブ携帯型表示デバイス１２０及び１２２は、医用画像表示標準に準拠したホストグレースケール医用画像を表示するため、スレーブグレースケール画像変換機能に従って、スレーブグレースケール医用画像をホストグレースケール医用画像に変換することができる。
【００１６】
ドングル１３は、ホストコンピュータ１０に結合され、スレーブ携帯型表示デバイス１２０及び１２２の仮想表示デバイスとして動作するように構成されており、スレーブ携帯型表示デバイス１２０及び１２２をホストコンピュータ１０のデバイスマネージャに追加することを可能にする。ここで、ドングル１３は、ＶＧＡ（ビデオ・グラフィクス・アレイ：Video  Graphics  Array）、ＤＶＩ（デジタル・ビジュアル・インタフェース：Digital  Visual  Interface）、ＨＤＭＩ（登録商標）（高精細度マルチメディアインタフェース：High  Definition  Multimedia  Interface）、ＤＰ（ディスプレイ・ポート：Display  Port）等のインタフェースによって、スレーブ携帯型表示デバイス１２０及び１２２に送信する必要がある画像パッケージを処理することができる。スレーブ携帯型表示デバイス１２０及び１２２を含む携帯デバイスは、ドングル１３に接続し、画像パッケージを読み出すための医用画像表示プログラムをインストールして実行している。
【００１７】
一実施形態では、画像表示システム１は、ホストコンピュータ１０とスレーブ携帯型表示デバイス１２０を接続するように構成された伝送ライン１４をさらに含む。ドングル１３は、画像パッケージを伝送ラインによってスレーブ携帯型表示デバイス１２０に送信することができ、スレーブ携帯型表示デバイスを含む携帯デバイスは、医用画像表示プログラムをインストールして実行している。一実施形態では、ホストコンピュータ１０は、無線通信技術、例えば、ブルートゥース（登録商標）、ＷｉＦｉ又はＮＦＣ（近距離無線通信：Near  Field  Communication）によってスレーブ携帯型表示デバイス１２２に接続するように構成された無線通信モジュール１５を含み、スレーブ携帯型表示デバイスを含む携帯デバイスは、医用画像表示プログラムをインストールして実行している。
【００１８】
一実施形態では、ホストコンピュータ１０は、第１の医用画像及び第２の医用画像をスレーブ携帯型表示デバイス１２０及び１２２にそれぞれ共有させることができ、ホスト表示パネル１１がデスクトップ又は第１の医用画像を表示することができる（例えば、ホスト表示パネル１１及びホストコンピュータ１０の拡張表示デバイスとして、スレーブ携帯型表示デバイス１２０及び１２２が動作する拡張モード）。具体的には、ホストコンピュータ１０は、第１の医用画像及び第２の医用画像をそれぞれ取り込むための画像取込プログラムを実行し、第１の医用画像及び第２の医用画像を第１のグレースケール医用画像及び第２のグレースケール医用画像にそれぞれ変換するための上述の画像処理プロセスを実行し、第１のグレースケール医用画像及び第２のグレースケール医用画像を第１の画像パッケージ及び第２の画像パッケージにそれぞれ変換し、第１の画像パッケージ及び第２の画像パッケージをスレーブ携帯型表示デバイス１２０及び１２２に送信し、スレーブ携帯型表示デバイス１２０及び１２２を含む携帯デバイスは、第１の画像パッケージ及び第２の画像パッケージを読み出すための医用画像表示プログラムをインストールして実行している。
【００１９】
一実施形態では、ホストコンピュータ１０は、第１の医用画像をスレーブ携帯型表示デバイス１２０及び１２２に共有させることができる（例えば、ホストコンピュータ１０及びホスト表示パネル１１のミラー表示デバイスとして、スレーブ携帯型表示デバイス１２０及び１２２が動作するミラーモード）。具体的には、ホストコンピュータ１０は、第１の医用画像に対応する第１の画像パッケージをスレーブ携帯型表示デバイス１２０及び１２２に送信し、ホスト表示パネル１１も同じ第１の医用画像を表示する。
【００２０】
したがって、携帯デバイスのＬＣＤパネルを医用画像表示規格に互換性を有するように変換する画像表示システム１は、十分なハードウェア仕様を備えた非医用表示デバイスをＰＡＣＳ（Picture  archiving  and  communication  system）に統合して、医用画像表示の人気を高め、ＰＡＣＳのセットアップ費用を削減する。追加的に、様々な画像共有方法により、携帯デバイスのＬＣＤパネルを医用画像表示規格に互換性を有するように変換する画像表示システム１は、拡張モード及びミラーモードを実現することができ、複数の医師の共同診断に有益である。
【００２１】
携帯デバイスのＬＣＤパネルを医用画像表示規格に互換性を有するように変換する画像表示システム１の動作は、医用画像２を共有するプロセスに要約することができる。図２に示すように、医用画像２を共有する処理は、ホストコンピュータ１０が以下のステップを実行するのを指示するために、プログラムコードにコンパイルされ、ホストコンピュータ１０の内蔵メモリに記憶され得る。
【００２２】
ステップ２０：開始。
【００２３】
ステップ２１：カラー医用画像を取り込むための画像取込プログラムを実行する。
【００２４】
ステップ２２：カラー医用画像をグレースケール医用画像に変換するための画像処理プログラムを実行する。
【００２５】
ステップ２３：グレースケール医用画像を画像パッケージに変換する。
【００２６】
ステップ２４：スレーブ携帯型表示デバイスに接続して、画像パッケージをスレーブ携帯型表示デバイスに送信する。スレーブ携帯型表示デバイスを含む携帯デバイスは、医用画像表示プログラムをインストールして実行している。
【００２７】
ステップ２５：終了。
【００２８】
医用画像２を共有するプロセスでは、ユーザはホスト表示パネル１１のデスクトップ（例えば、ＧＵＩ（グラフィカル・ユーザ・インタフェース：Graphical  User  Interface））を見て、ホストコンピュータ１０がステップ２１〜ステップ２４を実行するように制御するための制御信号をユーザインタフェース（例えば、キーボード又はマウス）によってホストコンピュータ１０に入力する。例えば、ユーザは、ホストコンピュータ１０が第１のカラー医用画像を取り込むための画像取込プログラムを実行するように制御するための第１の制御信号を生成するように制御するための第１のアイコンをクリックすることができ（ステップ２１）、第１のアイコンは画像取込プログラムに対応する。ユーザは、ホストコンピュータ１０が画像処理プログラムを実行するように制御するための第２の制御信号を生成するための第２のアイコンをクリックすることができ（ステップ２２）、第２のアイコンは画像処理プログラムに対応する。ユーザは、ホストコンピュータ１０がグレースケール画像を画像パッケージに変換するように制御するための第３の制御信号を生成するための第３のアイコンをクリックすることができる(ステップ２３)。最後に、ユーザは、ホストコンピュータ１０がスレーブ携帯型表示デバイス１２０又は１２２に接続して、画像パッケージをスレーブ携帯型表示デバイス１２０又は１２２に送信するように制御するための第４の制御信号を生成するための第４のアイコンをクリックすることができ、スレーブ携帯型表示デバイスを含む携帯デバイスは、医用画像表示プログラムをインストールして実行しており（ステップ２４）、第４のアイコンは画像送信プログラムに対応する。例えば、スレーブ携帯型表示デバイス１２０又は１２２は、携帯デバイスに統合されてもよく、携帯デバイスは、ビルトイン通信インタフェース（例えば、有線又は無線通信インタフェース）によって画像パッケージを受信してもよい。追加的に、携帯デバイスは、医用画像２を共有するプロセスのための医用画像表示プログラムがインストールされ、実行されているときに、画像パッケージを読み出すことができる。
【００２９】
一実施形態では、ホストコンピュータ１０は、ドングル１３によってスレーブ携帯型表示デバイス１２０及び１２２に接続することができる（ステップ２４）。一実施形態では、ホストコンピュータ１０は、画像パッケージをさらに圧縮して圧縮画像パッケージを生成し、次いで、圧縮画像パッケージをスレーブ携帯型表示デバイス１２０又は１２２に送信することができ、画像パッケージのファイルサイズを縮小してメモリスペースを節約しファイル共有を高速化することができる。
【００３０】
したがって、医用画像２を共有するプロセスによって、携帯デバイスのＬＣＤパネルを医用画像表示規格に互換性を有するように変換する画像表示システム１は、十分なハードウェア仕様を備えた非医用表示デバイス（例えば、スレーブ携帯型表示デバイス１２０及び１２２）をＰＡＣＳ（Picture  archiving  and  communication  system）に統合して、医用画像表示の人気を高め、ＰＡＣＳのセットアップ費用を削減する。
【００３１】
医用画像２を共有するプロセスでは、ステップ２２の画像処理プログラムを、ホストコンピュータ１０が以下のステップを実行するように指示するために、図３に示すように、画像処理プロセス３にまとめることができる。
【００３２】
ステップ３０：開始。
【００３３】
ステップ３１：ホスト表示パネルのホストグレースケール画像変換機能に従って、カラー医用画像をホストグレースケール医用画像に変換する。
【００３４】
ステップ３２：ホストグレースケール画像変換機能に従って、スレーブ携帯型表示デバイスのスレーブグレースケール表示機能を構成し、スレーブ携帯型表示デバイスを含む携帯デバイスは、医用画像表示プログラムをインストールして実行している。
【００３５】
ステップ３３：スレーブグレースケール表示機能及びホストグレースケール医用画像に従って、グレースケール医用画像を生成する。
【００３６】
ステップ３４：終了。
【００３７】
画像処理プロセス３では、ホストコンピュータ１０は、ホスト表示パネル１１のホストグレースケール画像変換機能（医用画像表示規格に準拠したグレースケール画像変換機能）に従って、カラー医用画像をホストグレースケール医用画像に変換し(ステップ３１)、次いで、ホスト表示パネル１１のホストグレースケール画像変換機能に従って、スレーブ携帯型表示デバイス１２０又は１２２のスレーブグレースケール表示機能を構成することであって、ここで、スレーブ携帯型表示デバイス１２０又は１２２を含む携帯デバイスは、医用画像表示プログラムをインストールして実行しており（ステップ３２）、最後に、スレーブグレースケール表示機能及びホストグレースケール医用画像に従って、スレーブグレースケール医用画像を生成する（ステップ３３）ことができる。スレーブグレースケール医用画像はスレーブグレースケール画像変換機能を含むため、スレーブ携帯型表示デバイス１２０及び１２２がスレーブグレースケール医用画像に対応する画像パッケージを受信するとき、スレーブ携帯型表示デバイス１２０及び１２２が、スレーブグレースケール画像変換機能に従って、スレーブグレースケール医用画像をホストグレースケール医用画像に変換して、医用画像表示規格に準拠したグレースケール医用画像を表示するようにする。
【００３８】
したがって、画像処理プロセス３により、携帯デバイスのＬＣＤパネルを医用画像表示規格に互換性を有するように変換する画像表示システム１は、スレーブグレースケール画像変換機能を生成して、スレーブ携帯型表示デバイス１２０及び１２２が医用画像表示規格に準拠したグレースケール医用画像を表示することを保証することができる。
【００３９】
要約すると、本発明では、携帯デバイスのＬＣＤパネルを医用画像表示規格に互換性を有するように変換する画像表示システムは、十分なハードウェア仕様を備えた非医用表示デバイスをＰＡＣＳ（Picture  archiving  and  communication  system）に統合して、医用画像表示の人気を高め、ＰＡＣＳのセットアップ費用を削減する。追加的に、様々な画像共有方法によって、携帯デバイスのＬＣＤパネルを医用画像表示規格に互換性を有するように変換する画像表示システム１は、拡張モードとミラーモードを実現することができ、複数の医師の遠隔及び共同診断に有益である。
【００４０】
当業者であれば、装置及び方法への多様な修正及び変更が発明の教示を保持しながらなされ得ることに容易に気づくだろう。したがって、上記の開示は、添付の特許請求の範囲の境界によってのみ制限されるものとして解釈されるべきである。
【図１】
2019076691.tif 000004
【図２】
2019076691.tif 000005
【図３】
2019076691.tif 000006